(57)【要約】【課題】  家庭でスプリングマットレスに装着して就寝時中にも腰椎をけん引使用し得る腰椎けん引器を提供することにある。【解決手段】  腰周りに装着される腰部固定帯具１と、腰椎けん引具２０を備え、仰臥した使用者１００に装着の腰部固定帯具１とスプリングマットレス１０２に装着の腰椎けん引具２０が連結され、腰椎けん引具２０における両操作帯把手２４を同時に引くことにより、腰椎けん引具２０における弾性帯２６に生ずる張力が膓骨に伝えられて腰椎がけん引されるとともに、操作帯２４を離した後においても、腰椎けん引具２０における緊締兼解除具２３の機能により張力が保持され持続して腰椎がけん引される。【選択図】    図１
2006198138.tif 000002
【特許請求の範囲】
【請求項１】
腰周りに装着される腰部固定帯具と、
該腰部固定帯具に装着される腰椎けん引具と
を備え、
前記腰部固定帯具は、着脱具を有する巻装帯と、該巻装帯における両脇部位に設けられた係止具を含み、
前記腰椎けん引具は、一端に前記腰部固定帯具における前記それぞれの係止具に係着される係止具を有し、かつ使用者自身が操作する一対の操作帯と、該操作帯に設けられた一対の操作帯把手と、前記一対の操作帯の中間部に設けられ、かつ該操作帯を緊締し、又その緊締状態を解除する緊締兼解除具と、該一対の緊締兼解除具にそれぞれ茄子鐶を介して連結された弾性帯及び該弾性帯の張力を規定する張力規定紐帯と、該一対の弾性帯及び張力規定紐帯の他端にそれぞれ茄子鐶を介して連結され、かつ前記腰部固定帯具における巻装帯の一対の係止具と係着するところの前記一対の操作帯係止具の係着マーク位置を調整する位置調整具と、該一対の位置調整具にそれぞれ連結された紐帯と、該一対の紐帯をスプリングマットレスに装着する装着用金具を含み、
仰臥した使用者に装着の前記腰部固定帯具と前記スプリングマットレスに装着の前記腰椎けん引具が連結され、前記腰椎けん引具における両操作帯把手を同時に引くことにより、前記一対の弾性帯に生ずる張力が膓骨に伝えられて腰椎がけん引されるとともに、前記操作帯を離した後においても、前記緊締兼解除具の機能により張力が保持され持続して腰椎がけん引される構成を特徴とするスプリングマットレスに装着して使用する腰椎けん引器。
【発明の詳細な説明】
【技術分野】
【０００１】
本発明は、スプリングマットレスに装着して使用する腰椎けん引器に関し、更に詳しくは、長い期間通院を要する腰痛、足腰のシビレ等のリハビリテーションを家庭において就寝時を含め昼夜いつでも行える腰椎けん引器に関するものである。
【背景技術】
【０００２】
腰椎けん引器を医療器として外来の整形外科医で用いられているものについて説明すると、寝台は上半身が乗っている固定部分と、下半身が乗っている身長方向にスライドする部分とに分かれ、腋の下に固定用具を差し入れ上半身が下半身方向に動かぬようにし、腰部固定ギブスに紐帯をつけ、動力により約３０〜４０kgの力で間歇的にけん引するものと、入院を要する治療法として、特別のベッド上に仰臥し、３〜５kgの重錘で腰部を長時間引っ張るものとがある。
【発明の開示】
【発明が解決しようとする課題】
【０００３】
上述した従来の通院加療用のけん引器は、診療の都合でけん引時間が１０分間と短く、その他の理学療法を併用しても治療するまでに数ケ月以上を要し、患者は通院の煩わしさから完治を諦めることが多い。
【０００４】
又、後者の入院治療法は効果があったのであるが、現今は手術が発達したので、殆ど行われていない。
【０００５】
腰痛は人類が立上って二足歩行を初めて以来、立っている時、歩いている時、座っている時は常に上半身の重量が腰椎に懸っていて、腰椎や腰椎間の軟骨を圧迫し、変形、湾曲させ、遂にはこの部位を通る下肢の神経を圧迫して、鈍痛やシビレとして脳に伝えられるので、横になっている時は圧迫が解かれ、これらの症状は感じないことが多い。
【課題を解決するための手段】
【０００６】
本発明は、上述の問題点を勘案して、家庭において、簡易な装置で重錘けん引法と同様の効果が得られる方法を考え、スプリングマットレスにけん引器を装着することを着想した。
【０００７】
スプリングマットレスには種々の形式のものがあるが、いずれも上面と下面の外枠には径５mm位の硬質の鋼線が用いられていて、集中的に２０kgの外力が加わっても変形することはないことを確かめ得た。
【０００８】
スプリングマットレスの上・下面外枠の剛性を利用し、動力源は用いず、ゴム帯等の弾性帯を用いて、腰部固定帯をけん引することとし、けん引は患者自身が一度だけ行えばよい構造にし、けん引によって下半身は勿論、上半身も下半身方向に引っ張られるので、現行のものは腋の下に支え具を用いているが、腋の下の支え具なしで下半身のみをけん引する方法、又患者自身で容易に着脱し得なければならないし、所定の張力を簡単に規定する方法等の問題点が予想されたが、これらの点は全て実験により解決された。
【０００９】
本発明は、腰痛、足腰のシビレなど、腰椎への長年に亘る圧迫が原因の諸症状を軽減治療する医療用の腰椎けん引器を簡易化して、家庭でスプリングマットレスに装着して就寝時中にも腰椎をけん引使用し得るスプリングマットレスに装着して使用する腰椎けん引器を提供することにある。
【００１０】
この目的のため、本発明の請求項1に記載のスプリングマットレスに装着して使用する腰椎いけん引器は、腰周りに装着される腰部固定帯具と、腰部固定帯具に装着される腰椎けん引具とを備え、前記腰部固定帯具は、着脱具を有する巻装帯と、該巻装帯における両脇部位に設けられた係止具を含み、前記腰椎けん引具は、一端に前記腰部固定帯具における前記それぞれの係止具に係着される係止具を有し、かつ使用者自身が操作する一対の操作帯と、該操作帯に設けられた一対の操作帯把手と、前記一対の操作帯の中間部に設けられ、かつ該操作帯を緊締し、又その緊締状態を解除する緊締兼解除具と、該一対の緊締兼解除具にそれぞれ茄子鐶を介して連結された弾性帯及び該弾性帯の張力を規定する張力規定紐帯と、該一対の弾性帯及び張力規定紐帯の他端にそれぞれ茄子鐶を介して連結され、かつ前記腰部固定帯具における巻装帯の一対の係止具と係着するところの前記一対の操作帯係止具の係着マーク位置を調整する位置調整具と、該一対の位置調整具にそれぞれ連結された紐帯と、該一対の紐帯をスプリングマットレスに装着する装着用金具を含み、仰臥した使用者に装着の前記腰部固定帯具と前記スプリングマットレスに装着の前記腰椎けん引具が連結され、前記腰椎けん引具における両操作帯把手を同時に引くことにより、前記一対の弾性帯に生ずる張力が膓骨に伝えられて腰椎がけん引されるとともに、前記操作帯を離した後においても、前記緊締兼解除具の機能により張力が保持され持続して腰椎がけん引される構成を特徴とするものである。
【発明の効果】
【００１１】
請求項1に記載の発明によれば、腰椎けん引具をスプリングマットレスに装置するには何らの器具を要することなく、マットレスの片側を持ち上げるだけで装置でき、その後の毎日の操作は極めて簡単で、非常の場合でも、腰部固定帯具におけるバックルを自から外すことにより容易に脱出することができ、家庭において簡便に使用し得るものである。
【００１２】
又、本発明による治療効果については、発明者の人体実験で通院加療３ケ月でも２００ｍ位しか歩行できず、治療し得なかった坐骨神経痛による腰痛、足のシビレが２週間で軽快し、１ｋｍ以上歩行し得るようになり、２ケ月でほぼ完治した。
【００１３】
又、本発明によれば、一対の弾性帯及び張力規定紐帯は、その一端と他端がそれぞれ茄子鐶を介して一対の操作帯と位置調整具に連結されているから、弾性帯と張力規定紐帯を張力の度合いに対応させて適宜に交換することができる。
【発明を実施するための最良の形態】
【００１４】
以下に図面を参照して、本願に係る発明を実施するための最良の形態についてその作用と共に説明する。
【００１５】
図１は、本発明に係るスプリングマットレスに装着して使用する腰椎けん引器の使用状態を示す側面模式図、図２は、腰部固定帯具の平面図、図３は、腰椎けん引具をスプリングマットレスに装着した状態を示す斜視図である。
【００１６】
これら図において、本腰椎けん引器は、腰部固定帯具１と腰椎けん引具２０を備えている。
【００１７】
腰部固定帯具１は、人体１００の腰周りに着脱自在として巻装されるもので、図１及び図２に示されているように、人体１００の両脇部に柔らかくフィットする皮等の素材からなる一対の巻装帯としての方形状の両脇当て皮２を有し、該両脇当て皮２はそれぞれの上下両端２箇所に明けられた挿通穴３、４を介して挿通の巻装帯としての上部紐帯５と下部紐帯６により連結されている。
【００１８】
上部紐帯５は下部紐帯６よりもやや短く、上下部紐帯５，６の一端にはそれぞれ着脱具としてのバックル雄７、８が取り付けられ、他端には着脱具としてのバックル雌９、１０が取り付けられて、これらバックル雄７、８とバックル雌９、１０との嵌着により、一対の両脇当て皮２が両脇部に着脱自在として取り付けられるようになっている。
【００１９】
腰部固定帯具１が両脇部に巻装着されるとき、上部紐帯５は膓骨の直上の腹部に締め付けられ、下部紐帯６は膓骨外周に締め付けられて、足元方向への張力が直線的に膓骨に伝えられるようになっている。
【００２０】
一対の両脇当て皮２の外側面における上部紐帯５と下部紐帯６の略中央部位は、ずれ止め帯１１、１２によって止められており、このうち上部のずれ止め帯１１には係止具としてのＤ字鐶１３が取り付けられている。
【００２１】
腰部固定帯具１に装着される腰椎けん引具２０は、使用者自身が操作する一対の操作帯２１を有し、それぞれの一端には、腰部固定帯具１におけるＤ字鐶１３と係着する係止具としてのフック２２が取り付けられ、一対の操作帯２１の中間部には、緊締兼解除具２３と操作帯把手２４が取り付けられている。
【００２２】
一対の緊締兼解除具２３は、両操作帯把手２４を同時に引いて操作帯２１を所定の長さ状態で緊締し、又その緊締状態の解除を行うためのものである。
【００２３】
一対の緊締兼解除具２３には、それぞれ茄子鐶２５を介して弾性帯２６及び張力規定紐帯２７の一端が着脱可能に連結され、弾性帯２６及び張力規定紐帯２７の他端にはそれぞれ茄子鐶２８を介して位置調整具２９が着脱可能に連結され、更に一対の位置調整具２９にはそれぞれ紐帯３０が連結されている。
【００２４】
一対の弾性帯２６は、両操作帯把手２４を同時に引くことによる操作帯２１の動作を介して生ずる張力を膓骨に伝えるためのもので、素材として好ましくは、ゴム材をもって形成されている。
【００２５】
又、一対の張力規定紐帯２７は、弾性帯２６の張力を規定するためのもので、張力規定紐帯２７を所定の長さに設定して置けば、弾性帯２６は設定された張力規定紐帯２７の位置まで伸長して相当した張力で停まるようになっている。
【００２６】
又、一対の位置調整具２９は、操作帯２１のフック２２を緊締兼解除具２３から引き出して、フック２２が腰部固定帯具１のＤ字鐶１３と係着する位置に合うように調整するためのものである。
【００２７】
なお、一対の弾性帯２６及び張力規定紐帯２７の両端がそれぞれ茄子鐶２５、２８を介して連結されているのは、弾性帯２６と張力規定紐帯２７を張力の度合いに対応させて適宜に交換することができるようにしたためである。
【００２８】
図３に示されているように、一対の位置調整具２９に連結された一対の紐帯３０は、その適当な長さ位置において１本の共通紐帯３１とされ、その先端部には装着用Ｌ字金具３２が取り付けられている。
【００２９】
次に、このように構成された本腰椎けん引器の使用方法について説明する。
【００３０】
先ず、使用者自身の体重の約１０％を目安とする一対の張力規定紐帯２７を選定して弾性帯２６と同じ茄子鐶２５，２８に掛着する。
【００３１】
次いで、図３に示されているように、一対の紐帯３０を寝台１０１上のスプリングマットレス１０２の上面と下面に副わせ、かつ共通紐帯３１の装着用Ｌ字金具３２をスプリングマットレス１０２に係着して腰椎けん引具２０をスプリングマットレス１０２上にセットする。
【００３２】
次いで、腰部固定帯具１における上部紐帯５を膓骨直上の腹部に締め、下部紐帯６を膓骨の周りに締めて腰部固定帯具１を巻装着し、この状態においてスプリングマットレス１０２上の就寝位置に仰臥して、一対のＤ字鐶１３の位置をスプリングマットレス１０２上にマークし、一旦立て上がって一対の操作帯２１先端のフック２２を一対の緊締兼解除具２３から引き出し、フック２２がマークした位置に合うように一対の位置調整具２９で合わせる。ここまでは、一度決めて置けば再度行う必要はない。
【００３３】
次いで、再びスプリングマットレス１０２上に仰臥して腰部固定帯具１の一対のＤ字鐶１３に一対の操作帯２１のそれぞれのフック２２を掛ける。
【００３４】
そして、この状態において、左右一対の操作帯把手２４を同時に引けば、一対の弾性帯２６は張力規定紐帯２７の張力規定位置まで延び、相当した張力で停まり、操作帯把手２４は動かなくなる。手を放せば決められた張力は腰部固定帯具１を経て直接的に膓骨に伝えられる。
【００３５】
腰臀部の皮膚はスプリングマットレス１０２の表面との摩擦によってずれないが、この部位の皮下脂肪等が滑材となって支障なく膓骨に懸った張力は腰椎に伝達される。この際一旦、僅かに腰を揚げ下げすれば骨と皮膚とのずれは解消される。
【００３６】
なお、実験によれば、けん引中に脊柱を経て肩甲骨、肋骨に加わる張力は分散して弱まり、上半身は下半身方向にずれることなく、１０ｋg以下の張力では何らの措置を講ずる必要がないことが分明した（８kg以上では長時間のけん引には耐えられないことも実験により明らかである。）。
【図面の簡単な説明】
【００３７】
【図１】本発明に係るスプリングマットレスに装着して使用する腰椎けん引器の使用状態を示す側面模式図である。
【図２】腰部固定帯具の平面図である。
【図３】腰椎けん引具をスプリングマットレスに装着した状態を示す斜視図である。
【符号の説明】
【００３８】
１    腰部固定帯具
２    両脇当て皮
５    上部紐帯
６    下部紐帯
７、８    バックル雄
９、１０    バックル雌
１３    Ｄ字鐶
２０    腰椎けん引具
２１    一対の操作帯
２２    一対のフック
２３    一対の緊締兼解除具
２４    一対の操作帯把手
２５、２８    一対の茄子鐶
２６    一対の弾性帯
２７    一対の張力規定紐帯
２９    一対の位置調整具
３０    一対の紐帯
３１    共通紐帯
３２    装着用Ｌ字金具
１００    人体
１０１    寝台
１０２    スプリングマットレス
【図１】
2006198138.tif 000003
【図２】
2006198138.tif 000004
【図３】
2006198138.tif 000005